(57)【要約】【課題】カマデッドを備えた扉用施錠装置に於いて、防犯性の向上を図ること。【解決手段】前記カマデッドは、前記錠箱に平行に併設された上下のカマデッドの各デッドボルトの対向側端部の中央部或いは中央部寄りの部位が固定接続部を介して一体の１つの摺動部材であり、施錠時、ダルマが回転すると、前記１つの摺動部材は水平移動して、前記デッドボルトの先端部は前記固定部材の受穴に係入すると共に、前記カマの先端部は前記受穴の周囲における固定部材の掛合部分の裏面に掛止し得ることを特徴とする扉用施錠装置。【選択図】図１
2010159561.tif 000002
【特許請求の範囲】
【請求項１】
錠箱内に、ダルマと、デッドボルトと該デッドボルトに連動するカマとから成り、前記デッドボルトの後端部に形成された係合部が前記ダルマの駆動腕と係合すると共に該ダルマの駆動力に基づき先端部が垂直方向の固定部材の受穴に係入するように前記錠箱の面座から進退動するカマデッドを組み込んだ扉用施錠装置に於いて、前記カマデッドは、前記錠箱に平行に併設された上下のカマデッドの各デッドボルトの対向側端部の中央部或いは中央部寄りの部位が固定接続部を介して一体の１つの摺動部材であり、
施錠時、ダルマが回転すると、前記１つの摺動部材は水平移動して、前記デッドボルトの先端部は前記固定部材の受穴に係入すると共に、前記カマの先端部は前記受穴の周囲における固定部材の掛合部分の裏面に掛止し得ることを特徴とする扉用施錠装置。
【請求項２】
請求項１に於いて、１つの摺動部材の固定接続部は、少なくとも上又は下のいずれか一方のデッドボルトの対向側端部の中央部或いは中央部寄りの部位から垂直方向に連設成形された板状部分であり、該板状部分の端部が固定手段を介して他方のデッドボルトの対向側端部の中央部或いは中央部寄りの部位に固定されていることを特徴とする扉用施錠装置。
【請求項３】
請求項１に於いて、固定接続部の後方の側部に、摺動部材完全後退用の切欠部が形成されていることを特徴とする扉用施錠装置。
【請求項４】
請求項１に於いて、１つの摺動部材の固定接続部は、少なくとも１枚の垂直接続板であり、上下のデッドボルトは、該垂直接続板及び固定手段を介して互いに一体的に連結されていることを特徴とする扉用施錠装置。
【請求項５】
請求項１に於いて、固定部材は、戸枠の縦枠に固定されたトロヨケとストライクから成る受け具であり、前記ストライクは、中央部の掛合部分を基準として上下に一対の受穴を有すると共に、該受け具の中には、ストライク変形防止部材が該受け具と一体的に設けられていることを特徴とする扉用施錠装置。
【発明の詳細な説明】
【技術分野】
【０００１】
本発明は、引戸、開き扉等の開閉体に取り付けられる扉用施錠装置に関する。
【背景技術】
【０００２】
特許文献１には、「親扉の自由端部に設けられた錠箱内に、横方向に進退動する横デッドボルトと、該横デッドボルトに対して直交すると共に上下方向に進退動する縦デッドボルトとを組み込む事項」が開示されている。この特許文献１の前記横デッドボルトは、例えば錠箱の垂直面座（フロント）から突出して親扉の自由端部と対向する子扉の受具の受穴に係入し、一方、前記縦デッドボルトは、前記錠箱の水平面座（底壁）から突出して戸枠の下枠の受具の受穴に係入する。
【０００３】
この特許文献１の実施例は、「扉用のダブルデッド錠」と称すべきものであるが、固定部材（戸枠、受け具）に対して扉を縦方向と横方向に同時に施錠する場合には適合するが、垂直方向の固定部材の受穴（例えば縦枠や縦枠に設けた受け具の受穴）に同時に複数個（例えば２個）の横デッドボルトが同時に係入するものではないから、ダブルデッド錠の取付け箇所が限定されるという問題点がある。また、子扉側の防犯性という観点から考察した場合、施錠片は記垂直面座（フロント）から子扉側の受穴へと進入する一つのデッドボルトのみであるから、子扉側の防犯性を向上させることができないという問題点もある。
【０００４】
また、特許文献２には、「錠箱内にデッドボルトと該デッドボルトに連動するカマとから成る一つのカマデッドとを組み込んだ扉用施錠装置」が開示されている。付言すると、特許文献２には、例えば合鍵の操作力によって回転するシリンダ錠又はサムターンと、該シリンダ錠又はサムターンの作動により施錠・解錠方向へ作動する駆動部材と、該駆動部材の駆動力に基づき先端部が垂直方向の固定部材の受穴に係入するように錠箱の面座から進退動する一つのカマデッドとから構成され、前記一つのカマデッドは、デッドボルトと、支持軸及びガイドピンを含む案内手段を介してデッドボルトに連動（従動）するカマとから成る事項が開示されている。
【０００５】
この特許文献２は、特許文献１の「扉用のダブルデッド錠」に対して「カマデッド錠」と称すべきものであり、普通一般の「デッドボルトのみ」又は「カマのみ」を備えた錠前に対して防犯性に優れている。
【０００６】
そこで、現在、例えば特許文献２の記載のカマデッド錠を前提にして、より防犯性に優れている扉用施錠装置の出現が要望されている。
【先行技術文献】
【特許文献】
【０００７】
【特許文献１】特開１１０６−９７３６１号公報
【特許文献２】特開１１０７−７０９２６号公報
【発明の概要】
【発明が解決しようとする課題】
【０００８】
本願発明の所期の目的は、例えば特許文献２の記載のカマデッド錠を前提にして、容易に複数個のカマデッドが固定部材の掛合部分から離れないようにし、もって、より防犯性に優れている扉用施錠装置を提案することである。
【０００９】
本発明の第２の目的は、歯車機構、リンク機構等の連動手段を用いないで、ダブルカマデッドの構成をシンプル化することである。本発明の第３の目的は、施錠状態に於いて、開閉体を開く方向へ力が作用して、固定部材のストライクに対して集中的な力が加わることになっても、ストライクが容易に変形しないことである。
【課題を解決するための手段】
【００１０】
本発明の扉用施錠装置は、錠箱内に、ダルマと、デッドボルトと該デッドボルトに連動するカマとから成り、前記デッドボルトの後端部に形成された係合部が前記ダルマの駆動腕と係合すると共に該ダルマの駆動力に基づき先端部が垂直方向の固定部材の受穴に係入するように前記錠箱の面座から進退動するカマデッドを組み込んだ扉用施錠装置に於いて、前記カマデッドは、前記錠箱に平行に併設された上下のカマデッドの各デッドボルトの対向側端部の中央部或いは中央部寄りの部位が固定接続部を介して一体の１つの摺動部材であり、施錠時、ダルマが回転すると、前記１つの摺動部材は水平移動して、前記デッドボルトの先端部は前記固定部材の受穴に係入すると共に、前記カマの先端部は前記受穴の周囲における固定部材の掛合部分の裏面に掛止し得ることを特徴とする。
【００１１】
上記構成に於いて、１つの摺動部材の固定接続部を含む縦断面は、リップミゾ形綱の形状であることを特徴とする。
【００１２】
また、固定部材は、戸枠の縦枠に固定されたトロヨケとストライクから成る受け具であり、前記ストライクは、中央部の掛合部分を基準として上下に一対の受穴を有すると共に、該受け具の中には、ストライク変形防止部材が該受け具と一体的に設けられていることを特徴とする。
【００１３】
また、１つの摺動部材の固定接続部は、少なくとも上又は下のいずれか一方のデッドボルトの対向側端部の中央部或いは中央部寄りの部位から垂直方向に連設成形された板状部分であり、該板状部分の端部が固定手段を介して他方のデッドボルトの対向側端部の中央部或いは中央部寄りの部位に固定されていることを特徴とする。また、固定接続部の垂直方向の側部に、摺動部材完全後退用の切欠部が形成されていることを特徴とする。
【００１４】
さらに、１つの摺動部材の固定接続部は、少なくとも１枚の垂直接続板であり、上下のデッドボルトは、該垂直接続板及び固定手段を介して互いに一体的に連結されていることを特徴とする。
【発明の効果】
【００１５】
（ａ）請求項１に記載の発明は、錠箱に平行に併設された上下のカマデッドの各デッドボルトの対向側端部の中央部或いは中央部寄りの部位が固定接続部を介して一体である１つの摺動部材であるから、施錠時、ダルマが回転すると、１つの摺動部材は水平移動して、該摺動部材の上下のデッドボルトの各先端部は固定部材の受穴に同時に係入すると共に、上下のカマの各先端部も前記受穴の周囲における固定部材の掛合部分の裏面に同時に掛止し得るので、より防犯性に優れた扉用施錠装置を得ることができる。
（ｂ）ピニオンとラックから成る歯車機構、複数個のリンクの組み合わせから成るリンク機構等の連動手段を用いないで、ダブルカマデッドの構成をシンプルにすることができる。したがった、ダブルカマデッドを錠箱内に簡単に組み込むことができる。
（ｃ）請求項５に記載の発明は、受け具の中にストライク変形防止部材が該受け具と一体的に設けられているので、扉用施錠装置にダブルのカマデッドの構成を採用しても、ストライクは容易に変形しない。
（ｄ）その他、実施例如何によっては、上下のカマデッドを一体にするための固定手段が不要である、錠箱のフロントから後壁までの奥行きを深くする必要がない等の利点がある。
【図面の簡単な説明】
【００１６】
図１乃至図１０は本発明の最良の実施例（第１実施例）を示す各説明図。
図１１乃至図１５は本発明の第２実施例を示す各説明図。
図１６及び図１７は本発明の第３実施例を示す各説明図。
図１８及び図１９は本発明の他の受け具を示す各説明図。
【図１】第１実施例の閉戸時における施錠状態を示す概略説明図。
【図２】錠箱の外観構成を示す斜視図。
【図３】錠箱の内部構成を示す概略説明図（細部的事項は省略）。
【図４】主要部の斜視図。
【図５】主要部の正面視からの説明図。
【図６】図５の６−６線の縦断面概略説明図。
【図７】図７（ａ）及び図７（ｂ）は、錠箱を面座側から見た説明図で、前記（ａ）はカマデッドの解錠状態、前記（ｂ）はカマデッドの施錠状態の先端面をそれぞれ示す概略説明図。
【図８】受け具の斜視図。
【図９】受け具の正面図。
【図１０】図９の１０−１０線断面図。
【図１１】第２実施例の図１と同様の説明図。
【図１２】図３と同様の説明図。
【図１３】主要部の分解斜視図。
【図１４】主要部の正面視からの説明図。
【図１５】図１４の１５−１５線断面図。
【図１６】第３実施例の主要部の正面視からの説明図。
【図１７】主要部の分解斜視図。
【図１８】本発明の他の受け具７Ａを示す概略断面説明図。
【図１９】受け具７Ａの分解斜視図。
【発明を実施するための最良の形態】
【００１７】
以下、図１乃至図１０に示す本発明を実施するための最良の形態（第１実施例）により説明する。
【００１８】
（１）錠箱１と垂直方向の固定部材７
図１は発明の実施の環境を示す各概略説明図である。図１は、閉扉時における固定部材７の受穴１０にカマデッド１３の先端部（デッドボルトとカマの各先端部）が係入した施錠時の概略説明図、図２は錠箱１の斜視図、図３は解錠時における錠箱１の内部構成を示す概略説明図である。本明細書に於いて、「錠箱の前後方向」とは、垂直面座（フロント）１ｃが前、後壁が後であることを基準としている。また、「錠箱の左右方向」とは、例えば垂直面座（フロント）１ｃの幅方向を基準として左右であることをいう。
【００１９】
さて、図１乃至図３に於いて、１は錠箱で、この錠箱１は、例えば開閉体２の具体例としての引戸又は開き扉に内設される。もちろん、錠箱１を開閉体２の内壁面に面付け状態に取付けても良い。この錠箱１はケース身１ａ、ケース蓋１ｂ及び垂直面座（フロント）１ｃを有し、前記垂直面座１ｃには、後述する上方のカマデッド１３用上部開口３、下方のカマデッド１３用下部開口４がそれぞれ適宜に形成されている。また、垂直面座（フロント）１ｃの上下端部には不番の固着具用孔が形成されている。また、ケース身１ａ、ケース蓋１ｂの垂直面座１ｃ寄りの中央部には、垂直方向に所定間隔を有して上下一対の真円状の透孔（真円軸孔）５、５が形成され、これらの透孔５、５には、上下一対の固定軸１７，１７が横設軸架されている（図２参照）。さらに、ケース身１ａの中央部には、ダルマ１２の環状部１２ａを挟むように前後一対の短杆状ストッパー６が設けられ、これらのストッパー６は、図示しない座板の取付け杆と螺合するメネジを有すると共に、少なくともダルマ１２の駆動腕２２を受け止める。
【００２０】
一方、７は、錠箱１の垂直面座１ｃと対面する垂直方向の固定部材（柱、戸枠の縦枠、受け具）である。本実施例では、固定部材７は、戸枠の縦枠に固定されたトロヨケ８とストライク９から成る受け具であり、前記ストライク９は、中央部の掛合部分９ａを基準として上下に一対の受穴（係入穴）１０を有すると共に、前記中央部の掛合部分９ａは、ストライク変形防止部材１１を介して前記トロヨケ８に連結されている。錠箱１の外観構成は、図２に示す通りで、該錠箱１に形成した複数個の突起、ガイド、取付け用固着具等の細部的事項は割愛してある。
【００２１】
なお、本実施例の錠箱１は、あくまでも実施の環境を説明するための一例に過ぎないので、錠箱１内に駆動モータ、歯車、クラッチ手段等を配設し、いわゆる「電気錠」にすることもできる。したがって、後述する駆動部材としてのダルマ１２は、合鍵の回転操作による操作力のみならず、駆動モータの駆動力によっても回転する。
【００２２】
（２）本発明の特徴事項
本発明の特徴事項の一つは、錠箱１内に組み込まれたダルマ１２と、錠箱に平行に併設された上下のカマデッド（当業者用語）１３，１３である。しかして、前記上下のカマデッド１３，１３は、それぞれのデッドボルト１６，１６の対向側端部の中央部或いは中央部寄りの部位が固定接続部１４を介して一体の１つの摺動部材１５である。
【００２３】
したがって、固定接続部１４を介して一体に設けられた上下のカマデッド１３、１３は、一方のカマデッド１３（例えば下方のカマデッド）のデッドボルト１６がダルマ１２の駆動腕２２によって押圧されると水平移動可能である。付言すると、施錠時、ダルマ１２が回転すると、１つの摺動部材１５は水平移動して、該摺動部材１５の上下のデッドボルト１６、１６の各先端部は固定部材７の受穴１０に同時に係入すると共に、上下のカマ１９の各先端部も前記受穴１０の周囲における固定部材の掛合部分９ａの裏面に同時に掛止する。
【００２４】
ところで、カマデッド１３は施錠片の一例であり、水平方向に往復動するデッドボルト１６と、該デッドボルト１６と連動し、かつ固定軸（支軸）１７及び案内手段（例えば長孔とガイドピン）１８を介して所定量回転するカマ１９から構成されている。そして、上下のカマデッド１３，１３の各デッドボルト１６，１６は、所定の空間２３を有して上下に１対平行に並設している。
【００２５】
また、本発明の特徴事項のもう一つは、例えば図８に示す受け具（垂直方向の固定部材の一例）で、該受け具７は、前述したように、戸枠の縦枠に固定された横向き凹所状のトロヨケ８と、該トロヨケ８の上下の取付け端部に図示しない固着具を介して固定される長板状のストライク９から成り、前記ストライク９は、中央部の掛合部分９ａを基準として上下にカマデッド１３用の受穴１０、１０を有すると共に、前記中央部の掛合部分９ａは、ストライク変形防止部材１１を介して前記トロヨケ８の垂直底壁８ａに一体的に連結されている。付言すると、該受け具７の中には、ストライク変形防止部材１１が該受け具と一体的に設けられている。
【００２６】
ところで、前記ストライク変形防止部材１１の構成は、設計変更事項ではあるが、本実施例では、例えば図１０で示すように一端面が中央部の掛合部分９ａの裏面に当接すると共に、その他端面がトロヨケ８の垂直底壁８ａの内壁面に当接する所定長の筒状支持柱１１ａと、この筒状支持柱１１ａの両端部に形成されたメネジに螺合する複数個の止めネジ１１ｂとから成る。
【００２７】
（３）主な構成部材の具体的構成
まず、図２を参照にすると、錠箱１の垂直面座（フロント）１ｃの上部開口３と下部開口４からは、上方のカマデッド１３と下方のカマデッド１３の先端面が上下対称に見える。この図２から明らかなように、上方のカマデッド１３のデッドボルト１６の先端面は下向きＵ字形状であるのに対して、下方のカマデッド１３のデッドボルト１６の先端面は上向きＵ字形状である。
【００２８】
したがって、カマデッド１３のデッドボルト１６は、少なくとも先端縁部の端面或いは縦断面が略コ形状に形成され、カマデッド１３の後退時（解錠時）、カマ１９の鉤状先端部１９ａは、該略コ形状の先端部１６ａに収納され（図３）、一方、カマデッド１３の進出時（施錠時）、カマ１９の鉤状先端部１９ａは、該略コ形状の先端部１６ａから突出可能である（図１）。
【００２９】
付言すると、第１実施例の上下のカマ１９は、図１及び図７の（ｂ）で示すように、錠箱１の垂直面座（フロント）１ｃの上部開口３並びに下部開口４から同時に飛び出すと、各鉤状先端部１９ａは蟹腕の如く内側に対向する。
【００３０】
したがって、第１実施例の上下のカマ１９の鉤状の各先端部１９ａは、施錠時、各デッドボルト１６の先端部１６ａが固定部材７の各受穴１０に係入すると、前記受穴１０の周囲におけるストライク９の中央部に相当する掛合部分９ａの裏面に互いに接近した状態で掛止され得る。
【００３１】
次に、図３を参照にすると、下方のデッドボルト１６の後端部１９ｂには逆ハの字形状の係合部２１が形成されている。本実施例では、下方のデッドボルト１６の逆ハの字形状の係合部２１には駆動手段としてのダルマ１２の駆動腕２２が選択的に係合する。これに対して、上方のデッドボルト１６の後端部にはハの字形状の係合部が形成されていない。何故ならば、一方のデッドボルト１６の後端部に逆ハの字又はハの字形状の係合部２１を形成すれば十分だからである。
【００３２】
ところで、下のデッドボルト１６の後端部には、クリック機能を有する付勢手段３１が垂直方向に設けられ、この付勢手段３１は、ダルマ１２を付勢している。そして、付勢手段３１は、係合部２１の間隙に位置する上下動杆と、該上下動杆に巻装されたクリックバネとから成る。
【００３３】
ここで、図６を参照にして、１つの摺動部材１５の断面形状を説明すると、該摺動部材の固定接続部１４を含む縦断面はリップミゾ形綱の形状である。また、図４及び図５を参照にして、前記固定接続部１４を説明すると、１つの摺動部材の固定接続部は、上下のデッドボルトの先端面逆Ｕ字及びＵ字形状のそれぞれの対向側端部（上下方向に延びる左右の垂直側壁）の一方の中央部或いは中央部寄りの部位から垂直方向に連設成形されたやや幅広の板状部分であり、該板状部分の後方の側部には、摺動部材完全後退用の切欠部１４ａが弧状に形成されている。なお、前記切欠部１４ａは、本実施例では弧状に形成され、しかも、弧状の中心部には、さらに短杆状ストッパー６と係合する半円弧状の小係合部が形成されているが、これらの形状は発明の本質的事項ではない。
【００３４】
次に、各カマデッド１３のカマ１９は、それぞれの固定軸１７及びガイドピンを含む案内手段１８を介してデッドボルト１６に連動（従動）するが、前記固定軸１７は、カマ１９の基端部１９ｂを軸支するように錠箱１の垂直面座１ｃ付近の中央部に横設された支軸であり、各カマ１９は、該固定固軸１７を支点にそれぞれ同時に回転する。そこで、前記案内手段１８は、各カマ１９を回転させることができるように、カマ１９側に形成された不番のガイド長孔と、該ガイド長孔に案内されるデッドボルト１６側の不番のガイドピンとから構成されている。
【００３５】
その他の細部的事項の説明は簡単に説明するが、ダルマ１２は、その環状嵌合部１２ａは錠箱１に設けた嵌合部或いは軸受けに回動自在に嵌合している。また、図７の（ａ）、（ｂ）で示すように、錠箱１の垂直面座１ｃに形成された上部開口３並びに下部開口４は、それぞれ各カマ１９が出入りすることができるように段差状の開口となっている。
【００３６】
（４）作用
閉戸時において、操作手段、例えば図示しないシリンダに差し込んだ合鍵を操作すると、ダルマ１２は、図３で示す矢印Ａ（反時計）方向へと回転する。ダルマ１２が矢印Ａ方向へと回転すると、ダルマ１２の駆動腕２１は下方のカマデッド１３のデッドボルト１６を押し出すことになる。
【００３７】
したがって、上下のデッドボルト１６がダルマ１２の駆動力に基づき同時に水平移動すると、各先端部１６ａが垂直方向の固定部材７の上下の受穴１０に同時に係入するように前記錠箱１の面座１ｃから進出する。そして、図１で示すように、施錠時、前記デッドボルト１６の先端部１６ａは前記固定部材７の受穴１０に係入すると、デッドボルト１６に固定軸１７等を介して連動する上下のカマ１９は、それぞれの鉤状先端部１９ａが固定部材（本実施例ではストライク９）の中央部の掛合部分９ａの裏面に接近状態で掛止される。この施錠状態で、引戸１又は扉１に開く方向へ力が作用すると、前記掛合部分９ａに集中的に力が加わることになる（開閉体が引戸の場合）或いは受穴１０を有する固定部材７のストライク（ストライクに相当する部分）９に集中的に力が加わることになるが、本実施例では、前記中央部の掛合部分９ａやストライク（ストライクに相当する部分）は、ストライク変形防止部材１１が設けられているので、容易に変形しない。
【実施例】
【００３８】
第１実施例に於いて、１つの摺動部材の固定接続部を含む縦断面は、リップミゾ形鋼の形状であるが、その他、軽ミゾ形鋼、Ｓ字形状等に設計変更することもできる。
【００３９】
この欄では、本発明の他の実施例を説明する。なお、他の実施例の説明に当って、本発明の第１実施例と同一の部分には同一又は同様の符号を付して重複する説明を省略する。
【００４０】
まず、図１１乃至図１５は本発明の第２実施例である。この第２実施例に於いて、第１実施例と異なる点は、１つの摺動部材１５Ａの固定接続部１４Ａは、少なくとも上又は下のいずれか一方のデッドボルトの対向側端部（上下方向に延びる左右の垂直側壁）の一方の中央部或いは中央部寄りの部位から垂直方向に連設成形された板状部分であり、該板状部分の端部が複数個の固定手段２５を介して他方のデッドボルトの対向側端部の一方の中央部或いは中央部寄りの部位に固定されていることである。
【００４１】
本実施例では、例えば図１３で示すように、前記固定接続部１４Ａは左右に一対存在し、上方に位置するデッドボルト１６の固定接続部１４Ａは、図面上、手前の対向側端部１６ｃから下方へと垂直状態に延び、これに対して、下方に位置するデッドボルト１６の固定接続部１４Ａは、図面上、向こう前の対向側端部１６ｃから上方へと垂直状態に延びている。付言すると、上下の左右一組のデッドボルト１６の固定接続部１４Ａ、１４Ａは、互いに対向するように、又は対向しないで、それぞれ対向側端部１６ｃの上下辺に反対位置に延設形成されている。
【００４２】
また、例えば図１５で示すように、本実施例では、固定接続部１４Ａは、固着具２５を介して相手方のデッドボルト１６の対向側端部１６ｃに固着されるので、これらの端部には固着具２５用の貫通孔２６が形成されている。したがって、それぞれ対向側端部１６ｃ（上下縁部）の反対位置には、互いに対向するように、又は対向しないで、前述した固着具２５用の取り付け孔２７が適宜に形成されている。なお、望ましくは、各固定接続部１４Ａが相手方のデッドボルト１６の対向側端部１６ｃに面一状に収まるように、前記固着具２５用の取り付け孔２７が形成されている対向側端部１６ｃの一部には、凹所状の嵌合部分２８を画定すべきである。なお、本実施例では、固定手段として固着具２５を用いているが、もちろん、他の手段（例えばカシメ）であっても良い。
【００４３】
次に、図１６及び図１７は本発明の第３実施例である。この第３実施例に於いて、第１実施例と異なる点は、１つの摺動部材１５Ｂの固定接続部１４Ｂは、少なくとも１枚の垂直接続板（本実施例）であり、上下のデッドボルト１６、１６は、該垂直接続板１４Ｂ及び固定手段を介して互いに一体的に連結されている。この第３実施例は、第２実施例の設計変更例なので、第２実施例と同一の部分には、同一の符号を付して重複する説明を割愛する。なお、本実施例の固定手段２５も、他の手段（例えばカシメ）であっても良い。
【００４４】
最後に、図１８及び図１９は、本発明の受け具７Ａの他の実施例である。この受け具７Ａに於いて、第１実施例の受け具７と異なる点は、ダブルのカマデッド１３に対応する受け具７Ａのストライク変形防止部材１１Ａの構造で、このストライク変形防止部材１１Ａは柱状ではなく、複数個の係合部（係合爪片、係合突起など）を有する支持枠状に形成されている。
【００４５】
すなわち、３５は左右一対の垂直板で、これらの垂直板３５は後端面の上位と下位にそれぞれ下向きの鉤状係合爪片３６を有する。また、３７は左右の垂直板３５に直交する幅広連結板で、この幅広連結板３７は左右の垂直板３５の略中央部に連結されているので、その内壁面３７ａはストライク９の掛合部分９ａと同じ役割を発揮する。
【００４６】
付言すると、図１８で示すように、ストライク変形防止部材１１Ａを受け具７Ａの中に一体的に設けた場合、各垂直板３５はトロヨケ８の左右の対向側壁８ｂの内壁面に沿って位置付けられると共に、各垂直板３５の後端面の複数の係合爪片３６は、トロヨケ８の垂直底壁８ａの上端部と下端部にそれぞれ形成した合計４つの被係合部（係合長孔、係合突起など）３８に係合し、また、幅広連結板３７は、ストライク９の掛合部分９ａの内壁面と面接触可能な状態に対向する。
【００４７】
このように、受け具（７，７Ａ）の中にストライク変形防止部材（１１、１１Ａ）を該受け具と一体的に設けることにより、ダブルのカマデッド１３に対応する強固な受け具を得ることができる。
【００４８】
なお、特に図示しないが、各カマデッド１３のカマ１９の各鉤状先端部１９ａが、ストライク９の掛合部分の裏面の上位と下位に離れた状態で掛止されるように設計変更しても良い。
【産業上の利用可能性】
【００４９】
本発明は、主に錠前や建具の業界で利用される。
【符号の説明】
【００５０】
1…錠箱、１ｃ…垂直面座（フロント）、２…開閉体、３…カマデッド用上部開口、４…下方のカマデッド用下部開口、７、７Ａ…垂直方向の固定部材（柱、戸枠の縦枠、受け具）、５…透孔、６…ストッパー、８…トロヨケ、８ａ…垂直底壁、９…ストライク、９ａ…掛合部分、１０…受穴（係入穴）、１１，１１Ａ…ストライク変形防止部材、１２…ダルマ、１２ａ…ダルマの環状嵌合部、１３…上下のカマデッド、１４、１４Ａ、１４Ｂ…固定接続部、１４ａ…切欠部、１５、１５Ａ、１５Ｂ…一つの摺接部材、１６…デッドボルト、１６ａ…先端部、１６ｂ…後端部、１６ｃ…対向側端部、１７…固定軸（支軸）、１８…案内手段、１９…カマ、１９ａ…先端部、２１…係合部、２２…ダルマの駆動腕、２３…所定の空間、２５…固定手段、３１…付勢手段。
【図１】
2010159561.tif 000003
【図２】
2010159561.tif 000004
【図３】
2010159561.tif 000005
【図４】
2010159561.tif 000006
【図５】
2010159561.tif 000007
【図６】
2010159561.tif 000008
【図７】
2010159561.tif 000009
【図８】
2010159561.tif 000010
【図９】
2010159561.tif 000011
【図１０】
2010159561.tif 000012
【図１１】
2010159561.tif 000013
【図１２】
2010159561.tif 000014
【図１３】
2010159561.tif 000015
【図１４】
2010159561.tif 000016
【図１５】
2010159561.tif 000017
【図１６】
2010159561.tif 000018
【図１７】
2010159561.tif 000019
【図１８】
2010159561.tif 000020
【図１９】
2010159561.tif 000021